(57)【要約】【課題】遊技球の満杯状態の誤検出を低減し、遊技の中断頻度を低下することができる遊技機を提供すること。【解決手段】この遊技機は、第１枠体９と、第１枠体９に対して揺動開閉可能な第２枠体と、上球皿１４ａに遊技球を導く第１球通路７１と、下球皿１４ｂに遊技球２３を導く第２球通路７２と、第２球通路７２に設けられた満杯検出手段と、第２枠体が開位置の状態において第１球通路７１に流入した遊技球を満杯検出手段に向けて導く第３球通路７３と、を有する。【選択図】図１２
2011143136.tif 000002
【特許請求の範囲】
【請求項１】
第１枠体と、
該第１枠体に対して揺動開閉自在に接続され、該第１枠体の少なくとも一部を覆う閉位置と、該一部を開放する開位置と、の間を移動する第２枠体と、
遊技球を１球ずつ送り出す賞球払出装置と、
該賞球払出装置から送り出された遊技球が流入する第１球通路と、
該第１球通路を通過した遊技球が流入し、該遊技球を貯留する上球皿と、
該上球皿に複数の遊技球が滞留した満杯状態の際に該賞球払出装置から送り出された遊技球が流入する第２球通路と、
該第２球通路を通過した遊技球が流入し、該遊技球を貯留する下球皿と、
該第２球通路に設けられ、該下球皿に複数の遊技球が溜まった満杯状態を検出する満杯検出手段と、
該賞球払出装置による遊技球の送り出しを制御する制御手段と、を有する遊技機であって、
該賞球払出装置、該第１球通路、該第２球通路及び該満杯検出手段は、該第１枠体に設けられ、該上球皿及び下球皿は、該第２枠体に設けられており、
該第２枠体が閉位置の状態において該第１球通路と該上球皿が連通すると共に該第２球通路と該下球皿とが連通し、かつ該第２枠体が開位置の状態において該第１球通路と該上球皿とが分離すると共に該第２球通路と該下球皿とが分離するように構成されており、
該第１枠体には、該第２枠体が開位置の状態において該第１球通路に流入した遊技球を前記満杯検出手段に向けて導く第３球通路が設けられており、
前記制御手段は、前記満杯検出手段が遊技球を検出したことを契機として、前記賞球払出装置による遊技球の送り出しを制限するように構成されている、遊技機。
【請求項２】
前記第２枠体が前記開位置の状態において前記第３球通路に流入した遊技球を一時的に貯留する待機部を更に備えている、請求項１に記載の遊技機。
【請求項３】
前記待機部は、前記第２球通路と連通しており、
該待機部に貯留された遊技球は、前記第２枠体が閉位置の状態において、該第２球通路を介して前記下球皿に導かれるように構成されている、請求項２に記載の遊技機。
【発明の詳細な説明】
【技術分野】
【０００１】
本発明は、賞球払出装置が装着された第１枠体に対して、球皿が装着された第２枠体を開放した際に、賞球払出装置から送り出された遊技球が零れることを防ぐことができる遊技機に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や羽根車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
パチンコ機の背面側には、遊技球を遊技領域に向けて発射する発射装置や、遊技者に向けて賞球を払い出すための賞球払出装置や、遊技球の発射及び賞球の払出しを制御する制御手段等が配置されている。この制御手段は、遊技領域の入賞口に遊技球が入球したことを契機として、賞球払出装置を介して遊技者へ賞球の払出しを実行する。
【０００４】
賞球払出装置から払い出された遊技球は、球皿に供給される。特許文献１には、賞球払出装置から払い出された遊技球を貯留する球タンクを設けた遊技機が記載されている。賞球払出装置から払い出された遊技球は、球タンクを介して球皿に導かれるように構成されている。
【先行技術文献】
【特許文献】
【０００５】
【特許文献１】特開２００８−２３１８３号公報
【発明の概要】
【発明が解決しようとする課題】
【０００６】
特許文献１に記載の遊技機は、球タンクを介して球皿に遊技球が供給されるように構成されており、球皿が満杯になると球タンク内に遊技球が滞留する。また、球皿は、球タンク及び賞球払出装置が装着された枠体に対して開閉可能に構成されており、球皿が開位置に移動した状態では球タンクと球皿とが分離し、賞球払出装置から払い出された遊技球が球タンク内に溜まる。
【０００７】
また、特許文献１の球タンクには、球タンク内に遊技球が溜まったことを検出する満杯検出センサが設けられている。満杯検出センサが満杯状態を検出することを契機として、球タンクが満杯状態であると判定して、賞球払出装置の払出しを制限する制御を実行することが可能である。
【０００８】
しかし、賞球払出装置から払い出された遊技球は、満杯検出センサの近傍を通過するため、球タンクが満杯状態でない場合において球タンクを通過する遊技球が満杯検出センサに接触してしまうことがあり、満杯状態を誤検知してしまうおそれがある。満杯状態を誤検知してしまうと、賞球払出装置による払出しが停止される等の遊技の中断処理がなされ、円滑な遊技の進行が妨げられるおそれがある。
【０００９】
本発明は、上記の事情に鑑みて為されたもので、賞球払出装置と球皿とが分離した状態において賞球払出装置から払い出された遊技球を所定数貯留可能な遊技機において、貯留する遊技球の満杯状態の誤検出を低減し、賞球払出装置の払出制御等、遊技の中断頻度を低下することができる遊技機を提供することを例示的課題とする。
【課題を解決するための手段】
【００１０】
本発明の例示的な側面としての遊技機は、第１枠体と、第１枠体に対して揺動開閉自在に接続され、第１枠体の少なくとも一部を覆う閉位置と、一部を開放する開位置と、の間を移動する第２枠体と、遊技者に向けて遊技球を１球ずつ送り出す賞球払出装置と、賞球払出装置から送り出された遊技球が流入する第１球通路と、第１球通路を通過した遊技球が流入し、遊技球を貯留する上球皿と、上球皿に複数の遊技球が滞留した満杯状態の際に賞球払出装置から送り出された遊技球が流入する第２球通路と、第２球通路を通過した遊技球が導かれる下球皿と、第２球通路に設けられ、下球皿に複数の遊技球が溜まった満杯状態を検出する満杯検出手段と、賞球払出装置による遊技球の送り出しを制御する制御手段と、を有し、賞球払出装置、第１球通路、第２球通路及び満杯検出手段は、第１枠体に設けられ、上球皿及び下球皿は、第２枠体に設けられており、第２枠体が閉位置の状態において第１球通路と上球皿が連通すると共に第２球通路と下球皿とが連通し、かつ第２枠体が開位置の状態において第１球通路と上球皿とが分離すると共に第２球通路と下球皿とが分離するように構成されており、第１枠体には、第２枠体が開位置の状態において第１球通路に流入した遊技球を満杯検出手段に向けて導く第３球通路が設けられており、制御手段は、満杯検出手段が遊技球を検出したことを契機として賞球払出装置による遊技球の送り出しを制限するように構成されている。
【００１１】
遊技機は、第１枠体と、第１遊技機枠に対して揺動開閉される第２枠体と、を有しており、第１枠体に装着された賞球払出装置から払い出された（送り出された）遊技球は、第１枠体の第１球通路を通過して第２枠体に装着された上球皿に供給される。そして、上球皿に多数の遊技球が滞留した満杯状態においては、賞球払出装置から払い出された遊技球は、第１枠体の第２球通路を通過して第２枠体に装着された下球皿に供給される。すなわち、賞球払出装置から払い出された遊技球は、第１球通路及び第２球通路を介して上球皿及び下球皿に導かれる。
【００１２】
そして、更に遊技球が払い出されて下球皿に多数の遊技球が滞留した満杯状態においては、満杯検出手段によって下球皿の満杯状態が検出され、制御手段は、満杯検出手段が遊技球の満杯状態を検出したことを契機として賞球払出装置による遊技球の送り出し（払出し）を制限する。すなわち、下球皿が満杯になることによって、賞球払出装置による遊技球の送り出しが制限されるため、球詰まりを防止することができる。
【００１３】
また、満杯検出手段は、上球皿が満杯状態となった際に導かれる第２球通路に設けられており、多量の遊技球が溜まった後に満杯状態を検出するため、所定数の遊技球が溜まった後に賞球払出装置の払出しを制限することができ、遊技の中断頻度を低下させ、円滑な遊技の実行を確保することができる。
【００１４】
更に、上球皿が満杯状態となった際に導かれる第２球通路に満杯検出手段を設けているため、上球皿が満杯状態でない際に満杯検出手段が満杯状態を検出することを防止することができ、従来の遊技機のように球タンクに満杯検出手段を設ける構成と比較して誤検出を防止することができる。
【００１５】
また、第１枠体には、第２枠体が開位置の状態において第１球通路に流入した遊技球を満杯検出手段に向けて導く第３球通路が設けられており、賞球払出装置から払い出された遊技球を下球皿の満杯状態を検出する満杯検出手段に導くことができる。第２枠体が開位置の状態において賞球払出装置から遊技球が払い出された際に、第３球通路を介して満杯検出手段に導くことにより、第２枠体が開位置の状態における満杯状態の検出手段を新たに設けることなく、満杯状態を検出して球詰まりを防止することができる。すなわち、１つの満杯検出手段によって閉鎖時（通常時）の満杯検出と、開放時の満杯検出と、を実行することができる。複数の満杯検出手段を設ける構成と比較して、部品点数を削減したりスペース効率の向上を図ったりすることができる。
【００１６】
なお、制御手段による賞球払出装置の送出しの制限とは、賞球払出装置による遊技球の払出速度の低下処理や払出しの停止処理である。
【００１７】
第２枠体が開位置の状態において第３球通路に流入した遊技球を一時的に貯留する待機部を更に備えていてもよい。待機部を更に備えることにより、第２枠体が開位置の状態において、賞球払出装置から払い出された遊技球を第１球通路等の球通路のみならず待機部に貯留することができ、貯留球数を増やすことができ、遊技の中断頻度を低減することができる。
【００１８】
なお、第３球通路は、待機部に所定数の遊技球を貯留した後に満杯検出手段に向けて遊技球を導くように構成してもよいし、第３球通路内に遊技球が流入した際に、直ちに満杯検出手段に向けて遊技球を導くと共に待機部に遊技球を貯留するように構成してもよい。
【００１９】
待機部に所定数の遊技球を貯留した後に満杯検出手段に向けて遊技球を導くように構成することにより、待機部に所定数の遊技球が溜まるまで満杯検出手段に向けて遊技球が導かれないため、満杯検出のタイミングを比較的遅延させることができる。一方、第３球通路内に遊技球が流入した際に、直ちに満杯検出手段に向けて遊技球を導くと共に待機部に遊技球を貯留するように構成することにより、第３球通路の球零れを防ぐことが可能となる。
【００２０】
待機部は、第２球通路と連通しており、待機部に貯留された遊技球は、第２枠体が閉位置の状態において、第２球通路を介して下球皿に導かれるように構成されていてもよい。待機部を第２球通路と連通させることにより、第２枠体が開位置の状態において待機部に貯留された遊技球を、第２球通路を介して円滑に下球皿に導くことが可能となる。
【００２１】
したがって、第２枠体を開位置から閉位置に移動した際に、第２枠体が開位置の際に払い出された遊技球を円滑に下球皿に導くことができ、早急に遊技を再開することができる。また、第２球通路と待機部とを連通させることにより、待機部の貯留可能な遊技球数を増やすことが可能となる。
【００２２】
本発明の更なる目的又はその他の特徴は、以下添付図面を参照して説明される好ましい実施の形態によって明らかにされるであろう。
【発明の効果】
【００２３】
本発明によれば、満杯検出手段が遊技球の満杯状態を検出したことを契機として制御手段が賞球払出装置による遊技球の送り出しを制限するため、上球皿及び下球皿が満杯になることによって、賞球払出装置による遊技球の送り出しを制限して球詰まりを防止することができる。また、満杯検出手段は、上球皿が満杯状態となった際に導かれる第２球通路に設けられており、多量の遊技球が溜まった後に満杯状態を検出するため、所定数の遊技球が溜まった後に賞球払出装置の払出しをすることができ、遊技の中断頻度を低下させて円滑な遊技の実行を確保することができる。
【００２４】
更に、上球皿が満杯状態となった際に導かれる第２球通路に満杯検出手段を設けられており、上球皿が満杯状態でない際に満杯検出手段が満杯状態を検出することを防止することができ、従来の遊技機のように球タンクに満杯検出手段を設ける構成と比較して誤検出を防止することができる。
【００２５】
また、第１枠体には、第２枠体が開位置の状態において第１球通路に流入した遊技球を満杯検出手段に向けて導く第３球通路が設けられており、賞球払出装置から払い出された遊技球を下球皿の満杯状態を検出する満杯検出手段に導くことができる。第２枠体が開位置の状態において賞球払出装置から遊技球が払い出された際に、第３球通路を介して満杯検出手段に導くことにより、第２枠体が開位置の状態における満杯状態の検出手段を新たに設けることなく、満杯状態を検出して球詰まりを防止することができる。１つの満杯検出手段によって閉鎖時（通常時）の満杯検出と、開放時の満杯検出と、を実行することができる。複数の満杯検出手段を設ける構成と比較して、部品点数を削減したりスペース効率の向上を図ったりすることができる。
【図面の簡単な説明】
【００２６】
【図１】実施の形態１に係る遊技球貯留タンクを有するパチンコ機の正面図である。
【図２】図１に示すパチンコ機の背面図である。
【図３】ガラス枠を開放した状態のパチンコ機の斜視図である。
【図４】前枠の下部分の拡大正面図である。
【図５】前枠の下部分を正面側から視認した拡大斜視図である。
【図６】前枠の下部分を背面側から視認した拡大斜視図である。
【図７】前枠の平面図である。
【図８】図７に示すＡ−Ａ断面図である。
【図９】図７に示すＢ−Ｂ断面図である。
【図１０】図７に示すＣ−Ｃ断面図である。
【図１１】図７に示すＤ−Ｄ断面図である。
【図１２】ストッパ機構を外した状態における前枠の下部分の拡大斜視図である。
【発明を実施するための形態】
【００２７】
以下、本発明の実施の形態について図面を用いて説明する。図１は、本発明の実施の形態に係る遊技機としてのパチンコ機２の正面図であり、図２は、図１に示すパチンコ機２の背面図である。このパチンコ機２は、遊技機枠ユニット３、遊技盤ユニット５、ガラス１０、発射ユニット（図示せず）、球皿１４等を有している。発射ユニットは、１個ずつ遊技球２３を遊技盤ユニット５に構成される遊技領域１６に向けて発射可能に構成されている。
【００２８】
パチンコ機２は、遊技者が後述する発射装置ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００２９】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３０】
パチンコ機２の遊技機枠ユニット３は、後述する遊技盤ユニット５を保持するためのものであり、このパチンコ機２の周囲側面及び前方を囲むように構成されている。遊技機枠ユニット３の内部側には、遊技盤ユニット５の他にも後述する各種制御基板や遊技球用の経路、及び遊技球の発射装置等各種機構部品が配置され、遊技機枠ユニット３によって周囲側面及び前方からのパチンコ機２内部側への不正アクセスが防止されるようになっている。
【００３１】
パチンコ機２の周囲を囲む外枠４、その内側に前方開閉可能にヒンジ２２を介して揺動支持されて遊技盤ユニット５を保持する前枠（第１枠体）９、前枠９の前方に前方開閉可能に揺動支持されガラス１０及びその周囲を装飾する装飾部材３２を保持するガラス枠（第２枠体）１２、を有して遊技機枠ユニット３が構成される。
【００３２】
ガラス１０は、遊技機枠ユニット３内部側に保持された遊技盤６を前方から遊技者が視認することができるようにするための透明部材である。ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００３３】
球皿１４は、遊技者の持ち球を貯留するために前枠９の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。球皿１４には、前枠９に装着された賞球払出装置６０から払い出された遊技球２３が導かれるように構成されている。
【００３４】
発射ユニット（図示せず）は、球送り装置（図示せず）によって球皿１４の一部としての上球皿１４ａから発射位置に送り出された遊技球２３を遊技領域１６の上部に向けて発射（弾球）するためのものである。発射ユニットは、前枠９の下部に取り付けられており、発射位置の遊技球２３を弾球する発射杆、その発射杆を駆動する発射モータ、発射杆を付勢して弾球力を発生させる発射バネを有している。
【００３５】
遊技盤ユニット５は、遊技盤面（遊技盤の表面）６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００３６】
遊技盤６は、その表面側に遊技球２３の流下による遊技を実現するための遊技領域１６を構成するための盤状部材であり、遊技盤６を前方から遊技者にとって視認可能となるように遊技機枠ユニット３の一部としての前枠９に保持されている。すなわち、前枠９は、遊技盤６を保持する保持部として機能している。
【００３７】
遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３８】
遊技釘２７は、遊技領域１６を流下する遊技球２３と衝突してその流下方向を変更させる流下変更部材であり、多数が遊技領域１６内に配置されている。また、遊技領域１６には、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３９】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４０】
遊技盤６の裏面側には、パチンコ機２の全体の制御を行う遊技制御手段としての主制御基板を収容した主制御基板ケース３５と、演出表示装置７ａの画像表示の制御等を行う演出制御基板を収容した演出制御基板ケース３６と、賞球払出装置６０による賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４１】
また、パチンコ機２の背面には、複数のパチンコ機２が隣接して配置された遊技機島に設けられた遊技球循環装置（図示せず）から供給された遊技球２３を一時的に貯留するための遊技球貯留タンク４０と、遊技球貯留タンク４０からの遊技球２３が流入し、この遊技球２３を１球ずつ通過させる賞球払出装置６０と、が設けられている。
【００４２】
賞球払出装置６０は、払出制御手段によって駆動制御されるように構成されており、各種入賞口への遊技球２３の入球や、遊技者からの遊技球２３の貸出し要求に応じて、ガラス枠１２に装着された球皿１４に遊技球２３を供給するように構成されている。
【００４３】
発射ユニットにより遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球払出しの契機となり、あるものはいずれの入球装置にも流入せずに遊技領域１６内最下部に位置するアウト口３０に流入してアウト球としてパチンコ機２の外部側へと排出される。
【００４４】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が賞球払出装置６０から球皿１４へと払い出されるようになっている。
【００４５】
次いで、図３から図１２に基づいて賞球払出装置６０から球皿１４への遊技球２３の移動態様について詳細に説明する。図３は、ガラス枠１２が開位置の状態におけるパチンコ機２の斜視図である。図４から図６は、前枠９の下部分の拡大図であり、図４は正面図であり、図５及び図６は斜視図である。図５は、正面側から視認した状態を示しており、図６は、背面側から視認した状態を示している。なお、説明の便宜上、図３から図６は遊技盤ユニット５を省略しており、図６は、後述する基板ケースを省略している。図７は、前枠９の平面図である。図８は、図７に示すＡ−Ａ断面図であり、図９は、図７に示すＢ−Ｂ断面図であり、図１０は、図７に示すＣ−Ｃ断面図であり、図１１は、図７に示すＤ−Ｄ断面図である。また、図１２は、後述するストッパ機構を省略した状態における前枠９の下部分の拡大斜視図である。
【００４６】
ガラス枠１２は、左側部に設けられたヒンジ２２を介して前枠９に対して揺動開閉するように構成されており、前枠９の前面を覆う閉位置と、前枠９の前面を開放する開位置と、の間を移動する。図３は、前枠９が開位置の状態を示している。
【００４７】
前枠９には、１球ずつ遊技球２３を払い出す賞球払出装置６０と、賞球払出装置６０から払い出された遊技球２３が流入し、この遊技球２３をガラス枠１２の上球皿１４ａに向けて導く第１球通路７１と、上球皿１４ａが満杯状態の際に遊技球２３を下球皿１４ｂに向けて導く第２球通路７２と、が設けられている。一方、ガラス枠１２には、第１球通路７１と連通する上球皿１４ａと、第２球通路７２と連通する下球皿１４ｂと、が設けられている。
【００４８】
ガラス枠１２が閉位置の状態では、第１球通路７１と上球皿１４ａとが連通し、かつ第２球通路７２と下球皿１４ｂとが連通している。一方、ガラス枠１２が開位置の状態では、ガラス枠１２と前枠９とが分離しており、第１球通路７１と上球皿１４ａが離間し、かつ第２球通路７２と下球皿１４ｂが離間している。
【００４９】
ガラス枠１２が閉位置の状態では、賞球払出装置６０から払い出された遊技球２３は、第１球通路７１を介して上球皿１４ａに導かれ、上球皿１４ａが満杯状態の際は第２球通路７２を介して下球皿１４ｂに導かれる。一方、ガラス枠１２が開位置の状態では、賞球払出装置６０から払い出された遊技球２３は、第１球通路７１及び第２球通路７２から上球皿１４ａ及び下球皿１４ｂに導かれずに前枠９内に留まる。
【００５０】
第１球通路７１は、前枠９の左側部に配置された賞球払出装置６０から払い出された遊技球２３が流入し、流入した遊技球を前枠９の前面に開口形成された前面開口部７１ａに導く。前面開口部７１ａは、ガラス枠１２が閉位置の状態において上球皿１４ａに向けて遊技球２３を導く球出口となる。
【００５１】
第２球通路７２は、第１球通路７１の下方に配置されており、第１球通路７１の左端部と第２球通路７２の左端部は、連通している。上球皿１４ａが満杯状態の際は、遊技球２３が第１球通路７１から第２球通路７２に流入する。第２球通路７２は、左方から右方に向かって遊技球２３を導く左右通路７２ｂと、左右通路７２ｂと右端部において連通し、後方から前方に向かって遊技球２３を導く前後通路７２ｃと、前後通路７２ｃの前端において開口形成された前面開口部７２ａと、を有する。
【００５２】
第２球通路７２に流入した遊技球２３は、左右通路７２ｂに沿って左方から右方に導かれ、前後通路７２ｃに沿って前方に配置された前面開口部７２ａに向けて導かれる。前面開口部７２ａは、ガラス枠１２が閉位置の状態において下球皿１４ｂに向けて遊技球２３を導く球出口となる。
【００５３】
第２球通路７２の前後通路７２ｃの後端には、下球皿１４ｂの満杯状態を検出する満杯検出手段としての満杯検出センサ９０（図６及び図１０参照）が設けられている。満杯検出センサ９０は、前後方向に移動する押圧片９１を有している。下球皿１４ｂが満杯状態となって前後通路７２ｃに遊技球２３が溜まると、溜まった遊技球２３によって押圧片９１が押圧されて、満杯状態を検出する。払出制御手段は、満杯検出センサ９０から満杯信号を受信すると、賞球払出装置６０による賞球の払出処理を停止したり遅延させたりする制御を実行する。
【００５４】
前枠９には、ガラス枠１２が開位置の状態において第１球通路７１及び第２球通路７２から遊技球２３が前方に落下することを防止するためのストッパ機構が設けられている。ストッパ機構は、第１球通路７１の前面開口部７１ａの前方に配置された第１ストッパ部材８１と、第２球通路７２の前面開口部７２ａの前方に配置された第２ストッパ部材８２と、を有する。
【００５５】
第１ストッパ部材８１は、第１球通路７１の前面開口部７１ａの下端に沿って配置された軸部８１ａと、軸部８１ａを中心に揺動するプレート部８１ｂと、プレート部８１ｂを閉位置に向けて付勢するバネ部８１ｃと、を有する。プレート部８１ｂは、前面開口部７２ａの一部を覆う閉位置と開放する開位置との間を移動するように構成されている。
【００５６】
ガラス枠１２が閉位置の状態では、プレート部８１ｂは、ガラス枠１２の後面から突出した突起部（図示せず）によって押圧されて第１球通路７１の底面に沿って配置され、前面開口部７１ａを開放した開位置となる。一方、ガラス枠１２が開位置の状態では、プレート部８１ｂは、突起部による押圧が解除され、バネ部８１ｃによって付勢されて閉位置となる。したがって、ガラス枠１２が閉位置の状態では、プレート部８１ｂが開位置となり、第１球通路７１から上球皿１４ａへの遊技球２３の移動を許容し、ガラス枠１２が閉位置の状態では、プレート部８１ｂが閉位置となり、第１球通路７１から遊技球２３が零れることを防止することができる。
【００５７】
第２ストッパ部材８２は、第２球通路７２の左右側壁に突設された軸部８２ａと、軸部８２ａを中心に揺動するカバー部８２ｂと、カバー部８２ｂを閉位置に向けて付勢するバネ部８２ｃと、を有する。カバー部８２ｂは、前面開口部７２ａの一部を覆う閉位置と開放する開位置との間を移動するように構成されている。
【００５８】
ガラス枠１２が閉位置の状態では、カバー部８２ｂは、ガラス枠１２の後面から突出した突起部（図示せず）によって押圧されて、第２球通路の下方に移動して、前面開口部を開放した開位置となる。一方、ガラス枠１２が開位置の状態では、カバー部８２ｂは、突起部による押圧が解除され、バネ部８２ｃによって付勢されて閉位置となる。したがって、ガラス枠１２が閉位置の状態では、カバー部８２ｂが開位置となり、第２球通路７２から下球皿１４ｂへの遊技球２３の移動を許容し、ガラス枠１２が閉位置の状態では、カバー部８２ｂが閉位置となり、第２球通路７２から遊技球２３が零れることを防止することができる。
【００５９】
図９に示すように、第１球通路７１の右側には第３球通路７３が設けられている。第３球通路７３は、第１球通路７１と連通しており、右方に向かって下降している。また、第３球通路７３の底面は、後方に向かって下降している。したがって、第３球通路７３を通過する遊技球２３は、第３球通路７３の後面に沿って右側に移動する。第３球通路７３の後面には、開口穴部７３ａ（図９及び図１２参照）が形成されている。第３球通路７３の後方には、第２球通路７２の左右通路７２ｂが配置されており、開口穴部７３ａを介して第３球通路７３から第２球通路７２の左右通路７２ｂに遊技球２３が移動可能である。
【００６０】
第３球通路７３によって第２球通路７２に遊技球２３を導くことにより、ガラス枠１２が開位置の状態において払い出された遊技球２３を第２球通路７２に貯留することができる。第２球通路７２には、満杯検出センサ９０が設けられており、満杯検出センサ９０が満杯状態を検出することにより、賞球払出装置６０による遊技球の払出を制限する制御を実行する。したがって、更に賞球が払い出されることを防止し、満杯状態における球詰まりを防止することができる。
【００６１】
また、ガラス枠１２が開位置の状態において多量の遊技球２３が払い出されると、第１球通路７１の前面開口部７１ａの近傍に遊技球２３が溜まり、この溜まった遊技球２３がガラス枠１２と接触し、ガラス枠１２が閉位置に移動できなくなるおそれがある。しかし、第３球通路７３が設けられているため、ガラス枠１２が開位置の状態において払い出された遊技球２３を第２球通路７２に流入させることができ、ガラス枠１２を開位置から閉位置に適切に移動させることができる。
【００６２】
また、第３球通路７３の開口穴部７３ａの左側には、複数の遊技球２３を一時期的に貯留する待機部７４（図９及び図１０参照）が設けられている。待機部７４は、第３球通路７３に流入した遊技球であって開口穴部７３ａに流入しなかった遊技球２３が流入するように構成されている。待機部７４の下端は、第２球通路７２の前後通路７２ｃに連通しており、待機部７４に流入した遊技球２３は、第２球通路７２の前後通路７２ｃに流入する。
【００６３】
第２球通路７２の前後通路７２ｃは、前側の底面と後側の底面とが上下方向にずれた段差部７２ｄ（図１０参照）が形成されている。前側の底面は後側の底面より下方に位置しており、その高さは遊技球２３の直径以上ずれている。したがって、前後通路７２ｃ内の遊技球２３は、前側から後側に移動せずに後側から前側に移動する。待機部７４は、前後通路７２ｃ内の段差部７２ｄよりも前側において連通している。待機部７４に流入した遊技球２３は、第２球通路７２と下球皿１４ｂとが連通した状態において第２球通路７２を介して下球皿１４ｂに導かれる。
【００６４】
次いで、このように構成されたパチンコ機２における遊技球２３の移動態様について詳細に説明する。まず、ガラス枠１２が閉位置の状態における遊技球２３の移動態様について説明する。賞球払出装置６０から払い出された遊技球２３は、第１球通路７１に流入し、第１球通路７１と連通する上球皿１４ａに流入する。そして、上球皿１４ａが満杯状態の場合には、遊技球は、第１球通路７１から上球皿１４ａに移動できないため、第１球通路７１から第２球通路７２に流入する。
【００６５】
第２球通路７２に流入した遊技球２３は、左右通路７２ｂを通過して前後通路７２ｃに流入し、前後通路７２ｃを介して下球皿１４ｂに流入する。そして、下球皿１４ｂが満杯状態となると、前後通路７２ｃから下球皿１４ｂに遊技球２３が移動できないため、前後通路７２ｃ内に遊技球２３が滞留する。そして、前後通路７２ｃが満杯状態となると満杯検出センサ９０の押圧片９１が後方に押圧され、満杯検出センサ９０が満杯状態を検出する。払出制御手段は、満杯検出センサ９０から満杯信号を受信すると、賞球払出装置６０による賞球の払出を制限する制御を実行する。
【００６６】
このとき、他の制御手段等によって遊技者に対して球皿１４内の遊技球２３を抜く操作を促す表示等を実行することにより、遊技者に球抜き操作を促し、早急に満杯状態を解消することができる。払出制御手段は、満杯状態が解消されたことを契機として、賞球払出装置６０による賞球の払出しを再開する制御を実行することができる。
【００６７】
次いで、ガラス枠１２が開位置の状態における遊技球２３の移動態様について説明する。ガラス枠１２が開位置の状態では、第１球通路７１と上球皿１４ａとは連通しておらず、第１球通路７１の前面開口部７１ａは、第１ストッパ部材８１のプレート部８１ｂによって覆われている。また、第２球通路７２と下球皿１４ｂとは連通しておらず、第２球通路７２の前面開口部７２ａは、第２ストッパ部材８２のカバー部８２ｂによって覆われている。
【００６８】
賞球払出装置６０から払い出された遊技球２３は、第１球通路７１に流入し、第１球通路７１の右方に配置された第３球通路７３に流入する。第３球通路７３に流入した遊技球２３は、第３球通路７３の後面に沿って右側に移動し、開口穴部７３ａを介して第２球通路７２の左右通路７２ｂに流入する。第２球通路７２の左右通路７２ｂに流入した遊技球２３は、前後通路７２ｃに流入し、前後通路７２ｃの前側から遊技球２３が溜まる。そして、前後通路７２ｃが満杯状態となると満杯検出センサ９０の押圧片９１が後方に押圧され、満杯検出センサ９０が満杯状態を検出する。払出制御手段は、満杯検出センサ９０から満杯信号を受信すると、賞球払出装置６０による賞球の払出を制限する制御を実行する。
【００６９】
また、ガラス枠１２が開位置の状態において、賞球払出装置６０から多量の遊技球が払い出されて第３球通路７３に多量の遊技球２３が流入した場合には、全ての遊技球２３が開口穴部７３ａを介して第２球通路７２に流入しないことがある。第３球通路に流入した遊技球のうち開口穴部７３ａを介して第２球通路７２に流入した遊技球２３は、第３球通路７３の右側に配置された待機部７４に流入する。
【００７０】
以上のように、第３球通路７３を設けて、第１球通路７１に流入した遊技球２３を、満杯検出センサ９０が設けられた第２球通路７２に導くことにより、満杯検出センサ９０によって満杯状態を検出して賞球払出装置６０による払出しを制限する制御を実行することができる。したがって、満杯状態の際に更に遊技球が払い出されることを防止して、球詰まりを防止したり、ガラス枠１２が開位置から閉位置に移動できなくなるという不具合の発生を防止したりすることができる。
【００７１】
また、第３球通路７３の側方に待機部７４を設けることにより、第３球通路７３に多量の遊技球２３が流入した場合においても第１球通路７１に遊技球２３があふれることを防ぎ、ガラス枠１２を開位置から閉位置に適切に移動させることができる。
【００７２】
また、満杯検出センサ９０は、上球皿１４ａが満杯状態となった際に導かれる第２球通路７２に設けられており、多量の遊技球が溜まった後に満杯状態を検出するため、所定数の遊技球が溜まった後に賞球払出装置６０の払出しを制限することができ、遊技の中断頻度を低下させ、円滑な遊技の実行を確保することができる。更に、上球皿１４ａが満杯状態となった際に導かれる第２球通路７２に満杯検出センサ９０を設けられており、上球皿１４ａが満杯状態でない際に満杯状態を検出することを防止することができるため、従来の遊技機のように球タンクに満杯検出手段を設ける構成と比較して誤検出を防止することができる。
【００７３】
以上、本発明の好ましい実施の形態を説明したが、本発明はこれらに限定されるものではなく、その要旨の範囲内で様々な変形や変更が可能である。例えば、本実施の形態では、第３球通路７３の開口穴部７３ａを介して第３球通路７３から第２球通路７２に遊技球２３を流入させるように構成しているが、待機部７４から第２球通路７２に遊技球２３を流入させ、この流入した遊技球２３が滞留した満杯状態を満杯検出センサ９０によって検出するように構成してもよい。
【００７４】
このように、開口穴部７３ａを設けずに待機部７４から第２球通路７２に流入した遊技球２３の満杯状態を満杯検出センサ９０によって検出するように構成しても、ガラス枠１２が開位置の状態における満杯状態を適切に検出して、賞球払出装置６０による払出しを制限する制御を実行することができる。
【符号の説明】
【００７５】
２：パチンコ機（遊技機）
３：遊技機枠ユニット
４：外枠
５：遊技盤ユニット
６：遊技盤
６ａ：遊技盤面（遊技盤の表面）
７：センター役物
７ａ：演出表示装置
７ｂ：表示部
７ｃ：表示図柄
７ｄ：表示開口部
９：前枠（第１枠体）
１０：ガラス
１２：ガラス枠（第２枠体）
１４：球皿
１４ａ：上球皿
１４ｂ：下球皿
１４ｃ：球抜き部材
１５：発射装置ハンドル
１６：遊技領域
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：遊技球貯留タンク
６０：賞球払出装置
７１：第１球通路
７１ａ：前面開口部
７２：第２球通路
７２ａ：前面開口部
７２ｂ：左右通路
７２ｃ：前後通路
７２ｄ：段差部
７３：第３球通路
７３ａ：開口穴部
７４：待機部
８１：第１ストッパ部材
８１ａ：軸部
８１ｂ：プレート部
８１ｃ：バネ部
８２：第２ストッパ部材 
８２ａ：軸部
８２ｂ：カバー部
８２ｃ：バネ部
９０：満杯検出センサ（滞留検出手段）
９１：押圧片
【図１】
2011143136.tif 000003
【図２】
2011143136.tif 000004
【図３】
2011143136.tif 000005
【図４】
2011143136.tif 000006
【図５】
2011143136.tif 000007
【図６】
2011143136.tif 000008
【図７】
2011143136.tif 000009
【図８】
2011143136.tif 000010
【図９】
2011143136.tif 000011
【図１０】
2011143136.tif 000012
【図１１】
2011143136.tif 000013
【図１２】
2011143136.tif 000014